(57)【要約】【課題】  フィクスチャー周囲の骨の削除や損傷を最小にしながら、簡素で標準化された施術によって迅速にフィクスチャーを除去できるインプラントフィクスチャーリムーバーを提供する。【解決手段】  インプラントフィクスチャーリムーバーは、一端の外周面に螺旋が形成されて人体の骨に締結されるフィクスチャーの雌ねじ部にねじ締結される結合ねじ部と、この結合ねじ部の一側にフィクスチャーの外部へ延長形成されるもので、外周面にもう一つの螺旋が加工された分離ねじ部と、からなるリムーバースクリューと;前記リムーバースクリューの分離ねじ部が挿入されてねじ締結されるもので、内周面に分離ねじ部と対応する螺旋が形成された分離雌ねじ部と、前記分離雌ねじ部の下段部に形成されるもので、前記フィクスチャーの上部の外面に摩擦接触される密着部と；前記分離雌ねじ部から上部へ延長され、一端の外周面に締結工具が繋がるサンク部を備えたリムーバードライバーと、を含んで構成される。【選択図】      図１
2010274103.tif 000002
【特許請求の範囲】
【請求項１】
インプラントフィクスチャーを生体骨から除去するためのリムーバーにおいて、
フィクスチャー(ｆ)の雌ねじ部(ｆｓ)にねじ締結される結合ねじ部１１と、この結合ねじ部１１の一側にフィクスチャーの外部へ延長形成されるもので、外周面にもう一つの螺旋が加工された分離ねじ部１２と、からなるリムーバースクリュー１０と;
前記リムーバースクリュー１０の分離ねじ部１２が挿入されてねじ締結されるもので、内周面に分離ねじ部１２と対応する螺旋が形成された分離雌ねじ部２２と、前記分離雌ねじ部２２の下段部に形成されるもので、前記フィクスチャー(ｆ)の上部の外面に摩擦接触される密着部２３と；
前記分離雌ねじ部２２から上部へ延長され、一端の外周面に締結工具が繋がるサンク部２１を備えたリムーバードライバー２０と;
を含むことを特徴とするインプラントフィクスチャーリムーバー。
【請求項２】
前記リムーバースクリュー１０と前記フィクスチャー(ｆ)との締結トークは、１５Ｎｃｍ〜１００Ｎｃｍであり、前記リムーバースクリュー１０とリムーバードライバー２０とのリムービングトークは、６０Ｎｃｍ〜１０００Ｎｃｍであることを特徴とする請求項１に記載のインプラントフィクスチャーリムーバー。
【請求項３】
前記結合ねじ部１１のねじ方向は、前記フィクスチャー(ｆ)の雌ねじ部(ｆｓ)のねじ方向に一致し、前記分離ねじ部２２のねじ方向は、前記フィクスチャー(ｆ)の外面に形成された螺旋の方向と反対方向であることを特徴とする請求項１に記載のインプラントフィクスチャーリムーバー。
【請求項４】
前記結合ねじ部１１の螺旋方向は、前記フィクスチャー(ｆ)の雌ねじ方向に一致し、前記分離ねじ部２２のねじ方向は、前記結合ねじ部１１のねじ方向と反対方向であることを特徴とする請求項１に記載のインプラントフィクスチャーリムーバー。
【請求項５】
前記結合ねじ部１１の螺旋方向は、前記フィクスチャー(ｆ)の雌ねじ方向に一致し、前記分離ねじ部２２のねじ方向は、前記結合ねじ部１１のねじ方向に一致することを特徴とする請求項１に記載のインプラントフィクスチャーリムーバー。
【請求項６】
前記分離ねじ部２２は、１〜４条ねじであることを特徴とする請求項１に記載のインプラントフィクスチャーリムーバー。
【請求項７】
前記分離ねじ部２２のねじ山模様は、３角、４角、台形、歯形、丸い形のねじであることを特徴とする請求項１に記載のインプラントフィクスチャーリムーバー。
【請求項８】
前記リムーバースクリュー１０の分離ねじ部の上部には、締結工具であるスクリュードライバーが繋がれる構造が形成されていることを特徴とする請求項１に記載のインプラントフィクスチャーリムーバー。
【請求項９】
前記密着部２３は、２以上の突出形成される摩擦突起２３ａからなることを特徴とする請求項１に記載のインプラントフィクスチャーリムーバー。
【請求項１０】
前記密着部２３は、２以上の溝が形成されていることを特徴とする請求項１に記載のインプラントフィクスチャーリムーバー。
【請求項１１】
前記密着部２３は、歯車形態からなることを特徴とする請求項１に記載のインプラントフィクスチャーリムーバー。
【請求項１２】
前記密着部２３は、前記フィクスチャーの上端部又はフィクスチャーの上部の外側面に密着するように、前記フィクスチャーの上部の外形に対応する形状で備えられることを特徴とする請求項１に記載のインプラントフィクスチャーリムーバー。
【請求項１３】
前記密着部２３の内面は、終端部に向いて外側に広がるように傾斜した形状を持つことを特徴とする請求項１に記載のインプラントフィクスチャーリムーバー。
【請求項１４】
前記密着部は、表面にダイアモンド、金属、鉱石粉末がコーティング形成されるか、あるいは、凹凸が形成されていることを特徴とする請求項１に記載のインプラントフィクスチャーリムーバー。
【請求項１５】
前記サンク部は、リムーバーに大きなリムービングトークを与えることができるように、ハンドトークラチェットを繋ぐように、トークラチェットの連結構造に対応する形態からなることを特徴とする請求項１に記載のインプラントフィクスチャーリムーバー。
【発明の詳細な説明】
【技術分野】
【０００１】
本発明は、人体の骨にねじ締結され、骨と骨融合されたフィクスチャーを骨再生術の失敗やインプラント周囲の骨の消失の理由により除去しなければならない場合に使われる歯科、成形外科、整形外科などの医療用フィクスチャーリムーバーに関し、より詳細には、簡素で標準化された施術により、フィクスチャーを安全で迅速に人体の骨から分離除去できるようにし、合わせてフィクスチャーを植立する過程で、過度なトークによってフィクスチャーの連結部が損傷され、更に捻じ込んだり、捻じ取れない場合に、安全にフィクスチャーを人体の骨から分離して、施術の安全性を高められるだけでなく、施術に必要とする時間を大幅に短縮できるようにしたインプラントフィクスチャーリムーバーに関する。
【背景技術】
【０００２】
一般に、インプラント(implant)とは、移植物、挿入物又は消失された生物学的組織を代替するか、組織として動作するために作られた人工のディバイスを称する。
【０００３】
歯科用インプラントは、喪失された歯牙の歯根(根)に代われるように、人体に拒否反応のないチタニウム(Titanium)などの合金で作られた人工歯根を、歯が抜け出た歯槽骨に植え込んで癒着させた後、人工歯牙を固定させ、歯牙の元の機能を回復する機能を持つ。すなわち、歯科用インプラントとは、喪失された自然歯牙の代替物自体を称するか、もしくは、ねじ形状のフィクスチャー(fixture)を歯槽骨に締結して、略３〜８ケ月間骨と融合するようにした後、その上に接合部である支台部(Abutment)と人工歯牙冠(Crown)などの補綴物を固定させることで、歯牙の元の機能を回復させる歯科施術をいう。
【０００４】
このようなインプラントの施術を考察してみると、大きく、インプラント植立のために、軟調職の切開及び剥離手術と、骨削除手術と、インプラント植立手術と、上部補綴物の完成とに大別され、軟調職の切開及び剥離手術は、一般手術の原理と大して違わない。ここで、骨削除手術は、大きく、皮質骨を削除し、海綿骨を削除する過程であり、基本原理は、植立すべき周囲の骨を研磨し、植立部位を表示した後、皮質骨に穴を小さく開け、次第に広げて、植立しようとするインプラントの直径よりも若干小さな大きさまで拡大した後、インプラントを植立するものである。
【０００５】
一方、フィクスチャーを植立する過程で、過度なトークによってフィクスチャーの連結部が損傷されて、更に捻じ込んだり、捻じ取れない場合が生じ得るし、また、人体の骨に挿入され、成功的に骨と骨融合したフィクスチャーであっても、時間が経るに従って、インプラント周囲に炎症が誘発され、インプラント周囲の骨の消失が発生し、これによって、更に保持できない場合、フィクスチャーを除去又は分離させなければならない場合が生じ、骨癒着しているインプラントを捻じ取るためには、１００〜５００Ｎｃｍのリムービングトークが必要であるが、従来には、このようなトークを適用して除去できる機構がいなかったので、フィクスチャー周辺の骨を広範囲に破損させた後、フィクスチャーを分離除去している実情である。
【０００６】
しかしながら、このように周囲の骨を削除してフィクスチャーを除去した場合、周囲の骨の広範囲な消失によって、フィクスチャーを再植立出来なかったり、損傷された周囲の骨の再建のために、更に他の骨移植を施行しなければならない等、施術を大きく、かつ、複雑にして、患者に不便さを加重させるだけでなく、治療期間が延びる弊害があった。
【発明の概要】
【発明が解決しようとする課題】
【０００７】
本発明は、前記のような従来技術の問題点を解決するために創出されたものであって、本発明の目的は、フィクスチャー周囲の骨の削除や損傷を最小にしながら、簡素で標準化された施術によって迅速にフィクスチャーを除去できるようにして、使用上の便宜性と安全性を保障できるように、骨癒着している損傷されたインプラントに最大１、０００Ｎｃｍまでの強力なリムービングトークを与えることのできるインプラントフィクスチャーリムーバーを提供することにある。
また、本発明の他の目的は、フィクスチャーを植立する過程で、過度なトークによってフィクスチャーの連結部が損傷され、更に捻じ込んだり、捻じ取れない場合、周囲歯槽骨を削除することなく、安全にフィクスチャーを除去して、施術の安全性を高められるだけでなく、施術に必要とする時間を大幅に短縮できるインプラントフィクスチャーリムーバーを提供することにある。
【課題を解決するための手段】
【０００８】
上記の目的を実現するための本発明の望ましい実施形態に係るインプラントフィクスチャーリムーバーは、フィクスチャーの雌ねじ部にねじ締結される結合ねじ部と、この結合ねじ部の一側にフィクスチャーの外部へ延長形成されるもので、外周面にもう一つの螺旋が加工された分離ねじ部と、からなるリムーバースクリューと;前記リムーバースクリューの分離ねじ部が挿入されてねじ締結されるもので、内周面に分離ねじ部と対応する螺旋が形成された分離雌ねじ部と、前記分離雌ねじ部の下段部に形成されるもので、前記フィクスチャーの上部の外面に摩擦接触される密着部と；前記分離雌ねじ部から上部へ延長され、一端の外周面に締結工具が繋がるサンク部を備えたリムーバードライバーと、を含んで構成されることをその特徴とする。
【０００９】
本発明の望ましい一つの特徴として、前記リムーバースクリューとフィクスチャーとの締結トークは、１５Ｎｃｍ〜１００Ｎｃｍであり、前記リムーバースクリューとリムーバードライバーとのリムービングトークとは、６０Ｎｃｍ〜１０００Ｎｃｍであることにある。
【００１０】
本発明の望ましい他の特徴として、前記結合ねじ部のねじ方向は、前記フィクスチャーの雌ねじ部の方向に一致し、前記分離ねじ部のねじ方向は、前記フィクスチャーの外面に形成された螺旋の方向と反対方向であることにある。
【００１１】
本発明の望ましいもう一つの特徴として、前記結合ねじ部の螺旋方向は、前記フィクスチャーの雌ねじ方向に一致し、前記分離ねじ部のねじ方向は、前記結合ねじ部のねじ方向と反対方向であることにある。
【００１２】
本発明の望ましいもう一つの特徴として、前記結合ねじ部の螺旋方向は、前記フィクスチャーの雌ねじ方向に一致し、前記分離ねじ部のねじ方向は、前記結合ねじ部のねじ方向に一致することにある。この場合は、前記フィクスチャーの雌ねじ方向とフィクスチャーの外面螺旋の方向とが、互いに反対方向である場合に生じるが、この場合、分離ねじ部の方向は、フィクスチャーの外部螺旋と常に反対でなければならないので、このような場合が発生する。また、フィクスチャーの外部にねじ山がいないシリンダー型フィクスチャーの場合、分離ねじ部の方向は、どの方向であっても構わない。
【００１３】
また、前記分離ねじ部は、１条又は２条ねじが理想的であるが、早い締結や強い締結のために、３条又は４条ねじであってもよく、ねじ山形態は、３角、４角が理想的であるが、台形、歯形、丸い形のねじが適用されてもよい。
【００１４】
本発明の望ましい更に他の特徴として、前記リムーバースクリューの分離ねじ部の上部には、スクリューをフィクスチャーに１００Ncm以下で締結できるように、スクリュードライバーが繋がれるように、多角形の溝又は突起が形成されてもよい。
【００１５】
本発明の望ましいもう一つの特徴として、前記密着部は、２以上の突出形成される摩擦突起又は２以上の溝又は歯車形からなっている。
【００１６】
本発明の望ましいもう一つの特徴であって、前記密着部は、前記フィクスチャーの上端部又はフィクスチャーの上部外側面に密着するように、前記フィクスチャーの上部外形に対応する形状に備えられている。
【００１７】
本発明の望ましい他の特徴として、前記密着部の内面は、終端部に向いて外側に広がるように傾斜した形状に備えられてもよく、選択的に表面にダイアモンド、金属、鉱石粉末がコーティング形成されるか、あるいは、凹凸が形成されていることにある。
【００１８】
本発明の望ましい更に他の特徴として、前記サンク部は、リムーバーに大きなリムービングトークを与えることができるように、ハンドトークラチェットを繋ぐように、トークラチェットの連結構造に対応する形態からなることにある。すなわち、トークラチェットは、公知のトークレンチが用いられても構わなく、この場合の前記サンク部は、前記トークレンチとの締結のために、ボルト形に加工され得る。
【００１９】
本発明の特徴及び利点は、添付の図面に基づいた以下の詳細な説明により更に明らかになるであろう。これに先立って、本明細書及び請求範囲に使用された用語や単語は、通常的で辞典的な意味で解析されるべきではなく、発明者が彼自身の発明を最も最善の方法で説明するために、用語の概念を適切に定義できる旨の原則に立って、本発明の技術的思想に符合する意味と概念として解釈されるべきである。
【発明の効果】
【００２０】
本発明に係るインプラントフィクスチャーリムーバーは、簡素で標準化された施術作業で歯槽骨の損傷を最小化しながら、損傷されたり、割れたり、周囲の骨組織が破壊された無駄なフィクスチャー等を歯槽骨から分離除去できるので、歯槽骨削除部位の増加による施術の副作用を防止することができ、施術の安全性を高められるだけでなく、施術に必要とする時間を大幅に短縮できるという利点がある。
【００２１】
また、フィクスチャーの除去直後、直ちに同じ直径の新たなインプラントを植立することができ、フィクスチャーの上部に破壊された骨組織の再生術を行えるという有益な効果が期待できる。
【００２２】
合わせて、本発明は、歯科分野に適用することを例示したが、この他にも、脊椎用インプラントなどのように、整形外科や形成外科分野にも容易に適用可能である。
【図面の簡単な説明】
【００２３】
【図１】本発明に係るインプラントフィクスチャーリムーバーの使用状態を示した断面図である。
【図２】図１のインプラントフィクスチャーリムーバーの分離された状態を示した断面図である。
【図３】本発明に係るインプラントフィクスチャーリムーバーにおいてリムーバースクリューを示した斜視図である。
【図４】本発明に係るインプラントフィクスチャーリムーバーにおいてリムーバードライバーの一実施形態を示した斜視図である。
【図５】本発明に係るインプラントフィクスチャーリムーバーにおいてリムーバードライバーの他の実施形態を示した斜視図である。
【発明を実施するための形態】
【００２４】
以下、添付の図面を参照して、本発明に係るインプラントフィクスチャーリムーバーを説明すれば、以下の通りである。まず、図面で同じ構成要素又は部品は、できるだけ同じ参照符号で示していることを留意すべきである。本発明を説明するに際して、関連する公知の機能、あるいは、構成に関する具体的な説明は、本発明の要旨を曖昧でなくするために省略する。
【００２５】
図１は、本発明に係るインプラントフィクスチャーリムーバーの使用状態を示した断面図であり、図２は、図１のインプラントフィクスチャーリムーバーの分離された状態を示した断面図である。そして、図３は、本発明に係るインプラントフィクスチャーリムーバーにおいてリムーバースクリューを示した斜視図であり、図４は、本発明に係るインプラントフィクスチャーリムーバーにおいてリムーバードライバーの一実施形態を示した斜視図である。
【００２６】
まず、本発明のインプラントフィクスチャー用リムーバーにより分離除去されるフィクスチャー(ｆ)を簡略に説明する。
【００２７】
フィクスチャー(ｆ)は、歯槽骨に挿入されて骨と骨融合するものであって、この場合の前記フィクスチャー(ｆ)は、緻密骨と海綿骨にねじ締結され得るように、外周面に右螺旋が主に形成されており、稀に、左螺旋が形成されていることもある。また、前記フィクスチャー(ｆ)は、その上側に人工歯牙冠(図示省略)がねじ締結され得るように、上部面が開口しながら、一定の深さを持つ溝が形成され、この溝の内周面には、螺旋が形成されることにより雌ねじ部(ｆｓ)が形成される。
【００２８】
この場合の前記フィクスチャー(ｆ)の外周面に形成された螺旋と雌ねじ部(ｆｓ)に形成された螺旋とは、同じ方向を持つ。このようなフィクスチャー(ｆ)は、公知の技術により実施されるものであるので、詳細な説明は、省略することにする。
【００２９】
本発明は、先に説明したフィクスチャー(ｆ)を簡便化としながら、標準化された施術作業により口腔内から分離除去できるように、一端は、前記フィクスチャー(ｆ)と締結される螺旋が形成され、他端は、もう一つの螺旋が形成されるリムーバースクリュー１０と、リムーバースクリュー１０と一端がねじ締結される分離雌ねじ部２２とが形成され、他端は、トークラチェット(レンチ)のソケット又はスクリュードライバーなどのような工具が結束されるサンク部２１が形成されたリムーバードライバー２０から構成される。
【００３０】
リムーバースクリュー１０は、所定の長さを持つダブルスクリューの形態を取るものであって、一端は、前記フィクスチャー(ｆ)の雌ねじ部(ｆｓ)にねじ締結される結合ねじ部１１が形成され、他端は、結合ねじ部１１と反対方向の螺旋が加工され、後述するリムーバードライバー２０の分離雌ねじ部２２にねじ締結される分離ねじ部１２が形成される。すなわち、本発明でのリムーバースクリュー１０は、結合ねじ部１１と分離ねじ部１２との螺旋方向が互いに反対に、すなわち、結合ねじ部１１が右ねじである場合は、分離ねじ部１２は、左ねじと形成され、結合ねじ部１１が左ねじである場合は、分離ねじ部１２は、右ねじであることを満たすことが望ましい。
【００３１】
一方、本発明は、結合ねじ部１１とフィクスチャー(ｆ)、そして、分離ねじ部２２のねじ方向を多様な組合により構成しても構わない。
【００３２】
一例として、結合ねじ部１１のねじ方向は、前記フィクスチャー(ｆ)の雌ねじ部(ｆｓ)の方向に一致し、分離ねじ部２２のねじ方向は、前記フィクスチャー(ｆ)の外面に形成された螺旋の方向と反対方向に形成され得る。
【００３３】
他の例として、結合ねじ部１１の螺旋方向は、前記フィクスチャー(ｆ)の雌ねじ方向に一致し、分離ねじ部２２のねじ方向は、結合ねじ部１１のねじ方向と反対方向に形成され得る。
【００３４】
更に他の例として、結合ねじ部１１の螺旋方向は、前記フィクスチャー(ｆ)の雌ねじ方向に一致し、分離ねじ部２２のねじ方向は、結合ねじ部１１のねじ方向に一致するように形成され得る。
【００３５】
一方、本発明の例でリムーバースクリュー１０は、結合ねじ部１１が分離ねじ部１２より減少した直径を持つように備えられたことを提案したが、これに限定することなく、結合ねじ部１１と分離ねじ部１２とは、同じ直径を持つように備えられたり、あるいは、分離ねじ部１２が結合ねじ部１１に比べて減少した直径を持つことも可能である。
【００３６】
また、本発明は、結合ねじ部１１のねじピッチは、除去しようとするフィクスチャー内部のスクリュー孔のねじピッチと同一であり、分離ねじ部１２のねじピッチやねじ山の数又は形状は、設計上で多様に変形実施できるので、制限しない。
【００３７】
リムーバードライバー２０は、リムーバースクリュー１０の分離ねじ部１２が挿入されてねじ締結されるもので、下方向に開口した溝形であり、かつ、内周面に螺旋が形成された分離雌ねじ部２２と、この分離雌ねじ部２２の一側に延びるもので、トークラチェット(レンチ)のソケットが結束されるサンク部２１と、からなる。この場合のサンク部は、公知のトークラチェットとの結束構造を持つように、ボルト形に提供されるか、あるいは、スクリュードライバーが締結され得るように、スクリュー溝を形成して完成でき、このような締結工具の連結構造は、公知の技術により実施されても構わないので、詳細な説明は、省略する。
【００３８】
一方、リムーバードライバー２０は、下部面が開口しながら、内周面に螺旋が加工されることにより、分離ねじ部１２がねじ締結される分離雌ねじ部２２が形成され、この場合の分離雌ねじ部２２は、分離ねじ部１２と対応する螺旋形状を持つ。
【００３９】
このような構成において、フィクスチャーｆを除去する方向にリムーバードライバー２０をラチェットで回すと、リムーバードライバー２０は、分離ねじ部２２の方向に沿ってフィクスチャーｆ側に下がり、フィクスチャーｆの上部と密着しながら、強い摩擦力により結合され、ついに、フィクスチャーｆとリムーバードライバー２０とが一体となって、歯槽骨から分離され、外へ回って出るようになる原理である。
【００４０】
また、分離雌ねじ部２２は、その一側にサンク部２１が形成され、この場合のサンク部２１は、ラチェッレンチなどのような工具が締結される部位であり、この場合に用いられる工具は、ドライバーや受動型トークレンチなど、ねじ締結及び解除用工具が繋がれる形態を持つ。この場合、トークレンチには、トークゲージが内蔵されたものが用いられてもよい。このような工具は、公知の技術により実施されるものであるので、詳細な説明は、省略する。
【００４１】
図５は、本発明に係るインプラントフィクスチャーリムーバーにおいて、リムーバードライバーの他の実施形態を示した斜視図である。この面に示しているように、本発明のリムーバードライバー２０は、分離ねじ部１２と完全締結された状態で、その終端面がフィクスチャー(ｆ)の上部の外面に堅固に摩擦接触され得るように、分離ねじ部１２の終端部の縁に密着部２３が形成される。
【００４２】
本実施形態での密着部２３は、図示されているように、フィクスチャーｆの終端面に等間隔をおいて摩擦突起２３ａを突出形成した形態で提供される。一方、摩擦突起２３は、フィクスチャーｆを捻じ取る方向にリムーバードライバー２０を回した時に、摩擦突起２３がフィクスチャーｆの上部と密着して食い込む方向に摩擦力が作用するように、図から分かるように、方向性を持つ歯形に備えられることが望ましい。
【００４３】
一方、本発明は、単に摩擦突起２３ａを突出させて密着部２３を形成する以外にも、密着部２３の摩擦力を高められるように、摩擦突起２３ａに軽度に優れた金属粉末又はダイアモンド粉末を接着させてコーティング層を形成するか、あるいは、密着部２３の表面を粗く加工して、結果的に密着部２３の摩擦力を増加させ、リムーバードライバー２０を通じてフィクスチャー(ｆ)の除去を容易に行うことができるはずである。一方、摩擦突起２３ａの表面に金属又はダイアモンド粉末でコーティング層を形成するか、あるいは、表面を粗く加工する方法は、公知の技術により実施されても構わないので、詳細な説明は、省略する。
【００４４】
また、摩擦突起２３ａの他にも、密着部２３に２以上の溝を形成するか、あるいは、フィクスチャー上部の外面に最大限接触するように、下に広がるコーン(cone)形又は歯車形に備えられてもよい。
【００４５】
また、リムーバースクリュー１０とフィクスチャーｆとの締結トークは、１５Ｎｃｍ〜６０Ｎｃｍであり、リムーバースクリュー１０とリムーバードライバー２０との締結トークは、６０Ｎｃｍ〜１０００Ｎｃｍであることが望ましい。
【００４６】
これは、リムーバースクリュー１０とフィクスチャー(ｆ)との締結トークが１５Ｎｃｍ未満である場合は、フィクスチャーの除去時に、リムーバードライバー２０に力が与えられなく、リムーバースクリュー１０がフィクスチャー(ｆ)から解ける現状が生じ、６１Ｎｃｍ以上である場合は、リムーバースクリュー１０の変形及び割れが生じるためである。
【００４７】
また、リムーバースクリュー１０とリムーバードライバー２０との締結トークが６０Ｎｃｍ未満である場合は、リムーバードライバー２０が作動せず、１０００Ｎｃｍを超過する場合は、リムーバードライバー２０の変形、そして、リムーバースクリュー１０の変形及び割れ現状が生じる。
【００４８】
上記のように構成される本発明のインプラントフィクスチャー用リムーバーの施術過程を説明すれば、以下の通りである。
【００４９】
まず、歯槽骨に植立されたフィクスチャーｆを除去するために、フィクスチャーｆに結合された支台部と人工歯牙冠などの補綴物を除去する。
【００５０】
次いで、フィクスチャーｆの雌ねじ部(ｆｓ)にリムーバースクリュー１０の結合ねじ部１１を推奨トーク内でねじ締結し、リムーバースクリュー１０の分離ねじ部１２にリムーバードライバー２０の分離雌ねじ部２２をねじ締結する。
【００５１】
そして、リムーバードライバー２０のサンク部２１をトークレンチなどのラチェット工具を通じてフィクスチャーｆを除去する方向に徐々に回すと、リムーバードライバー２０とフィクスチャーｆとが一体に密着され、空回りしないで、フィクスチャーｆが歯槽骨から外部に除去される方向に共に回転するに従って、結果的にフィクスチャーｆの分離除去が可能になる。
【００５２】
この場合、リムービングトークは、フィクスチャーの種類と大きさによって、１００Ｎｃｍ〜１０００Ｎｃｍまで与えることができ、熱発生を減らすために、フィクスチャーの周囲に十分の水を供給しなければならない。
【００５３】
一方、本発明は、記載された実施形態に限定されるものではなく、適用部位を変更して使用することが可能であり、本発明の思想及び範囲を逸脱しないで、多様に修正及び変形できることは、この技術分野において通常の知識を有する者にとっては自明である。したがって、そのような変形例又は修正例は、本発明の特許請求範囲上に属するとすべきである。
【符号の説明】
【００５４】
１０  リムーバースクリュー
１１  結合ねじ部
１２  分離ねじ部
２０  リムーバードライバー
２１  サンク
２２  分離雌ねじ部
２３  密着部
ｆ    フィクスチャー
ｆｓ  雌ねじ部
【図１】
2010274103.tif 000003
【図２】
2010274103.tif 000004
【図３】
2010274103.tif 000005
【図４】
2010274103.tif 000006
【図５】
2010274103.tif 000007